(57)【要約】  【課題】天板を収納体に一端部を支持させたテーブルにおいて、当該テーブル自体の使用形態の自由度を高めるとともに、他の家具等との相対的な配置関係の自由度をも向上することができるテーブルを提供する。  【解決手段】天板２を支持する支持構造体３を、天板２の一端部側を支持し内部に収納空間４Ｓを有する収納体４と、他端部側を支持する脚体５とから構成し、収納体４に床面に対して水平回動可能な下部回動機構６を設けるとともに、収納体４と天板２との間に相対的に水平回動可能とする上部回動機構７を設け、脚体の５天板２に対する支持位置を、天板２の他端部よりも内方位置に設定した。【選択図】図２
2005143763.tif 000002
【特許請求の範囲】
【請求項１】
天板と、該天板を支持する支持構造体とを具備するものであって、
前記支持構造体を、前記天板の一端部側を支持し内部に収納空間を有する収納体と、前記天板の他端部側を支持する脚体とから構成し、前記収納体に床面に対して水平回動可能な下部回動機構を設けるとともに、該収納体と天板との間に、これら収納体と天板とを相対的に水平回動させる上部回動機構を設け、前記脚体の天板に対する支持位置を、該天板の前記他端部よりも内方位置に設定していることを特徴とするテーブル。
【請求項２】
前記脚体が、天板の前記他端部から内方に偏位した位置を下方から支持する脚柱を具備している請求項１記載のテーブル。
【請求項３】
前記脚体の下端部に、床面に対して転動可能且つ水平回転可能なキャスタを設けている請求項１又は２記載のテーブル。
【請求項４】
前記天板において収納体に支持される側の縁部を、湾曲形状としている請求項１、２又は３記載のテーブル。
【請求項５】
前記天板が、平面視円形状又は楕円形状をなすものである請求項４記載のテーブル。
【請求項６】
前記下部回動機構として、床面に対して水平回動可能且つ転動可能なキャスタを適用している請求項１、２、３、４又は５記載のテーブル。
【請求項７】
前記上部回動機構を、前記天板の下面側に設けられる天板受け部と、前記収納体の上端側に設けられ前記天板受け部を回動可能に支持する台座部とから構成している請求項１、２、３、４、５又は６記載のテーブル。
【請求項８】
前記上部回動機構が、天板と収納体との相対回動範囲を規制する回動規制部を具備している請求項１、２、３、４、５、６又は７記載のテーブル。
【請求項９】
前記回動規制部を、天板側又は収納体側の何れか一方に設けられ回動中心を中心とする所定中心角を有する弧状をなすガイド溝と、他方に設けられ前記ガイド溝に挿入されるピンとから構成している請求項８記載のテーブル。
【発明の詳細な説明】
【技術分野】
【０００１】
本発明は、天板とその支持構造体とを相互に回転させることができるテーブルに関するものである。
【背景技術】
【０００２】
天板を袖机等に支持させた態様のテーブル（机を含む、以下同）がこれまで種々考えられてきている。なかでも、限られた屋内空間において効率よくテーブルの形態を変更できるようにしたものが案出されている（例えば、特許文献１参照）。このテーブルは、学習机として用いられるものであり、矩形天板の一側端部側を箱状本体にスライド移動可能且つ回転可能に支持させるとともに、他側端部側を袖箱に回転可能に支持させたものである。このようにすることで、矩形天板と箱状本体又は袖箱とを相互に回転させ、或いは天板と箱状本体とを奥行き方向へスライド移動させることによって、天板とその支持構造物との相対位置関係の自由度を高め、隣のテーブルや壁との相対関係や使用態様に応じてテーブルの形態を自由に変形させられるようにしている。
【特許文献１】特開昭６２−７２３０３号公報
【発明の開示】
【発明が解決しようとする課題】
【０００３】
ところが、このような構成のテーブルであると、単体の学習机として使用する場合は別として、例えば多人数でのミーティング用として使用される場合には、箱状本体又は袖箱が配置される側の天板の下方空間に執務者が脚を入れて着座することができない。また、ミーティング時などにおいて、矩形天板と他の家具たるテーブルの天板とを部分的に重合するような使用態様を行う場合には、当該他の家具の天板の高さが低い場合には、その天板が箱状本体又は袖箱と干渉するため、天板を重合した効率のよい家具配置が容易にはできないこととなる。つまり、矩形天板と他のテーブルの天板とを重合させるには、箱状本体と矩形天板との相対スライド移動を必然的に行わなければならず、またそのスライド移動を行うためのスペースがない場合には天板同士の重合が不可能である。そのため、限られた屋内空間において効率的な家具配置をなし得ないことになる。また、その他の問題として、矩形天板を箱状本体又は袖箱に対して回転させる場合、矩形天板の側端部に隣接して壁やパーティション、他の家具が配置されていると、この天板が矩形状をなしているために天板の隅が前記壁等と必然的に干渉する結果、壁等又は箱状本体や袖箱を動かさずに矩形天板を回転させるという使用方法を行うことが不可能となってしまう。
【０００４】
そこで本発明は、以上のような問題に鑑みて、天板を上述した袖箱の如き収納体に一端部を支持させたテーブルにおいて、当該テーブル自体の使用形態の自由度を高めるとともに、他の家具等との相対的な配置関係の自由度をも向上することができるテーブルを提供するものである。
【課題を解決するための手段】
【０００５】
すなわち、本発明のテーブルは、天板と、この天板を支持する支持構造体とを具備するものであって、この支持構造体を、天板の一端部側を支持し内部に収納空間を有する収納体と、他端部側を支持する脚体とから構成し、収納体に床面に対して水平回動可能な下部回動機構を設けるとともに、該収納体と天板との間に、これら収納体と天板とを相対的に水平回動させる上部回動機構を設け、脚体の天板に対する支持位置を、天板の前記他端部よりも内方位置に設定していることを特徴としている。
【０００６】
このような構成であれば、天板の脚体に支持される側の端部の下方は当該脚体を内方へ変位させていることから開放されているため、その端部の下方空間に他の収納家具を収容させたり、高さの低い他のテーブルの天板と重合させるなど、他の家具との関係で限られた屋内空間を非常に効率よく利用した家具配置を行うことができ、しかもこのことは天板を収納体に対して回動させた場合でも同様である。また、天板と収納体とは相対的に回動させることができ、収納体自体も床面に対して水平回動させることができることから、このテーブル自体の形態も使用状況に応じて高い自由度で変更することができる。なお、天板の形状は任意である。
【０００７】
このようなテーブルにおいて、特に脚体側における天板の端部の下方空間を広く使用できるようにするためには、脚体に、天板の前記他端部から内方に偏位した位置を下方から支持する脚柱を具備させることが望ましい。
【０００８】
さらに、収納体を固定した状態で天板を回動移動させる場合に、スムーズな天板の移動を実現するためには、脚体の下端部に、床面に対して転動可能且つ水平回転可能なキャスタを設けるとよい。脚体側に床面に対する転動のためのキャスタ等の機構を設けない場合に天板を収納体に対して回動移動させるには、天板の脚体側の端部を持ち上げて所望の角度分だけ天板を回動させればよい。
【０００９】
特に、矩形天板であればテーブルに壁やパーティション、他の家具が存在すると、天板における収納体側の隅部が干渉して天板を回動させにくくなるが、このような不具合を有効に回避するには、天板における収納体側の縁部を、湾曲形状とすることが好ましい。この場合に特に好ましい天板の平面視形状としては、円形状又は楕円形状を挙げることができる。
【００１０】
また、収納体の床面に対する動作を円滑なものとするには、下部回動機構として、床面に対して水平回動可能且つ転動可能なキャスタを適用することが好適である。
【００１１】
一方、収納体の上端部側においては、上部回動機構を、天板の下面側に設けられる天板受け部と、前記収納体の上端側に設けられ前記天板受け部を回動可能に支持する台座部とから構成することで、天板と収納体との相互回動動作を簡易な構成で実現することができる。
【００１２】
なお、天板と収納体とは相互に制限なく回転させるようにすることもできるが、上部回動機構に、天板と収納体との相対回動範囲を規制する回動規制部を設けることで、回動角度を一定範囲に制限するようにしてもよい。斯かる回動規制部として好適な構成には、天板側又は収納体側の何れか一方に設けられ回動中心を中心とする所定中心角を有する弧状をなすガイド溝と、他方に設けられガイド溝に挿入されるピンとから構成したものが挙げられる。
【発明の効果】
【００１３】
本発明に斯かるテーブルよれば、天板を支持する支持構造体のうち、天板の一端部側を支持する収納体に床面に対して水平回動可能な下部回動機構を設けるとともに、この収納体と天板との間にそれらをを相対的に水平回動させる上部回動機構を設けていることから、天板と収納体との相対的な回動と、収納体自体の床面に対する水平回動とによって、使用状況に応じてこのテーブル自体の形態の変化を高い自由度で実現することができる。さらに天板の他端部側における内方位置を脚体によって支持させた構成としているため、脚体側の端部の下方空間を積極的に開放し、例えばミーティング時に執務者がその空間に脚を入れて着座したり、当該下方空間に他の収納家具を収容させたり、高さの低い他のテーブルの天板と重合させるといった多様で空間効率のよい家具配置をも行うこと可能である。
【発明を実施するための最良の形態】
【００１４】
以下、本発明の一実施形態を、図面を参照して説明する。
【００１５】
図１に斜視図、図２に正面図を示す本実施形態のテーブル１は、ミーティングテーブル等として使用されるものであり、天板２とそれを支持する支持構造体３とを相対的に回動させることで、テーブル１自体の形態を使用態様に応じて変形させられるように構成した自立性を有するものである。ここで支持構造体３は、天板２の一端側を支持するキャビネットタイプの収納体４と、他端側を支持する脚体５とからなるものとしている。
【００１６】
まず天板２は、平面視概略楕円形状をなすものであって、例えば木製板、金属製板、樹脂製板等の一般的なテーブルの天板として用いられる適宜の素材により形成されるものである。すなわち、天板２の両側端部２１、２２は湾曲した形状（いわゆるＲ形状）となっている。
【００１７】
支持構造体３の一方を構成する収納体４は、このテーブル１における袖机としても使用することができるキャビネットタイプのものである。具体的にこの収納体４は、いずれも矩形状をなす頂板４１、底板４２、左右一対の側板４３、４３、及び背板４４により矩形筐体状をなしており、内部の収納空間４Ｓには縦間仕切り板４５と横間仕切り板４６とを設けている。なお、この収納体４は天板２の一方の端部２１側を支持するものであり、頂板４１に掛かる大きな上載荷重に耐え、頂板４１の撓みや中折れ、収納体４全体の変形を防止するために、背板４４を収納体４の後端からやや前方に偏位させて配置している。また、縦間仕切り板４５も耐荷重性の向上に寄与している。
【００１８】
支持構造体３の他方を構成する脚体５は、脚柱５１と複数の脚羽根５２とを主体とするものであり、脚柱５１に脚羽根５２を取り付けるためのコア部材５３を脚柱５１の下端部に装着している。なお、本実施形態では、脚柱５１として丸パイプ材を適用している。また、脚羽根５２の下端部には、床面に対して転動可能であり、且つ床面に対して水平回転可能なキャスタ５４を各１個設けている。本実施形態では、脚柱５１に２本の脚羽根５２を設けているが、この脚羽根５２の本数は特に限定されるものではない。このような脚体５は、取付部材５５を介して天板２の下面側に取り付けられる。この取付部材５５は、平面視円形状をなし中央部を窪ませた皿状の部材であり、その中央部が天板２の一方の側端部２２よりも内側方に位置付けられるように天板２に取り付けているので、脚柱５２が天板２の側端から内寄りに配置されることとなっている。
【００１９】
ここで本実施形態では、収納体４自体が床面に対して水平回転可能且つ転動可能な構成とするとともに、天板２と収納体４とが相対的に回動するように構成している。そのための構成として、収納体４の下端部には下部回動機構６を設け、天板２と収納体４との間には上部回動機構７を設けている。
【００２０】
下部回動機構６は、図１及び図２に示すように、収納体４の底板４２における下面側の四隅にそれぞれ設けたキャスタ４７からなる。このキャスタ４７は、脚体５に設けられたキャスタ５４と同種のものであり、床面を転動し、且つ水平回転可能なものである。
【００２１】
上部回動機構７は、図２、図３及び図４に示すように、天板２の下面側に設けられる天板受け部７１と、収納体４に設けられる台座部７２とから構成され、これら天板受け部７１と台座部７２とが相互に水平回動し得るように構成してある。天板受け部７１は、脚体５とは反対側の端部２１から内寄りの位置において天板２の下面側に取り付けられる例えば金属製の部材であり、中央部を窪ませた概略皿形の天板受け本体７１１と、この天板受け本体７１１の下端部から下方へ鉛直に垂下させた円筒状をなす筒状部７１２とから構成される。一方、台座部７２は、収納体４の頂板４１の中央部から一方の長辺寄りの位置に取り付けられた台板７２１と、この台板７２１から直立させた円筒状をなす筒状部７２２とから構成される例えば金属製の部材である。ここで、天板受け部７１における筒状部７１２と台座部７２における筒状部７２２とは略同一の外径及び内径寸法を有するものであり、筒状部７１２の下端部７１２ａにおいては外周側を環状に切削したように内周側にのみ肉厚を形成する一方、筒状部７２２の上端部７２２ａにおいては内周側を環状に切削したように外周側にのみ肉厚を形成することで、これら筒状部７１２、７２２同士を相対的に回転し得る状態で嵌め合わせている。なお、これら筒状部７１２、７２２同士の間の摩擦抵抗を低減して円滑に動くように、筒状部７１２の下端部と筒状部７２２の上端部との嵌合形状に対応した縦断面視クランク形状をなす樹脂製のスペーサ７３を介在させている。そして、天板受け部７１と台座部７２との相対動作を安定させるために、台座部７２の中央部には筒状部７２２の中心を通るボルト７４を立設するとともに、筒状部７１２の内周に円盤状をなすガイド板７５を固定して取り付けて、ガイド板７５の中央部に形成した貫通孔７５１に前記ボルト７４を挿通させ、そのボルト７４の上端にナット７６を取り付けることで、天板受け部７１の台座部７２に対する傾斜などを抑制している。さらに本実施形態では、天板２と収納体４との相対的な回転動作を一定範囲に制限し、その範囲内でのみ相対回動させることとしている。そのための構成として、天板受け部７１と台座部７２との間に回動規制部８を形成している。具体的にこの回動規制部８は、前記ガイド板７５においてその中心を中心とす所定中心角度を有する部分円弧状をなすガイド溝７５２と、台座部７２の中心から偏位した位置に立設したピン７２３とから構成され、ガイド溝７５２の両端部間においてそれに下方から挿入されたピン７２３が部分円弧状を描いて移動し得るようにしている。本実施形態では、このガイド溝７５２の中心角を約６０°としているが、この値は任意に設定することができる。なお、本実施形態においてガイド機沿７５２とピン７２３は、それぞれガイド板７５の中心ならびにボルト７４の軸心を挟む対向位置に一対ずつ設けている。
【００２２】
以上のように、本実施形態のテーブル１は、天板２とその一方の側端部２１側を支持する収納体４とを相対的に回動可能とする上部回動機構７を有するとともに、この収納体４の下端部に収納体４自体を床面に対して水平回転可能な下部回動機構８を有しているため、テーブル１の使用態様に応じて、例えば図５に示すように収納体４を固定して天板２を回動移動させたり、その逆に例えば図６に示すように天板２の位置を変えずに収納体４を回動移動させることができる。これらの場合、本実施形態では天板２と収納体４とは時計回りに約３０°、反時計回りに約３０°、相互に回動させることができる。そして、天板２のもう一方の側端部２２側を支持する脚体５を、その側端部２２から内方へ偏位させて配置しているので、天板２の当該側端部２２における下面側を開放することができ、その結果、このテーブル１の隣接位置に高さ違いの天板を有する他のテーブルを配置しても、天板同士を重合させて狭いスペースに効率よく家具配置を行うことができ、また、天板２の当該側端部２２側の下方空間内に他の収納家具を配置することもできる。特に脚体５には、天板２の当該側端部２２から内方に偏位した位置を下方から支持する脚柱５１を設けているので、脚体５側における天板２の下方のスペース効率が非常に高いものであり、さらに脚体５の下端部にはキャスタ５３を設けているため、脚体５が床面を転動し且つ脚体５自体が水平回転するため、特に収納体４に対して天板２を回動移動させる場合に天板２を持ち上げなくてもスムーズに動作させることができる。
【００２３】
さらに、本実施形態のテーブル１は、側端部２１、２２が湾曲した楕円形状をなす天板２を備えているため、例えば図５に一点鎖線で示すようにこの天板２に隣接して他の家具や壁Ｘがある場合でも、その壁Ｘ等と天板２との間に僅かの隙間があれば天板２の回動が可能であり、斯かる隙間がなくてもテーブル１を脚体５側へ少しずらせることで天板２の回動を可能とすることができる。
【００２４】
また、収納体４下端部に設けた下部回動機構６には、キャスタ４７を適用しているので、収納体４自体の床面に対する動作を円滑なものとすることができる。
【００２５】
他方、天板２と収納体４との間に介在させた上部回動機構７は、天板受け部７１と台座部７２とから構成しており、これら天板受け部７１と台座部７２とを相互に回動可能にしているので、天板２や収納体４には設計上の変更を特に加えることなく、これら天板２と収納体４との相互回動動作を簡易な構成で実現することができる。そして、天板受け部７１に形成した７５２とその内部を移動するピン７２３とからなる回動規制部８を設けているので、天板２と収納体４との回動角度を一定範囲に制限することが可能である。
【００２６】
なお、本発明は上述した実施形態に限られるものではない。例えば、脚体側に床面に対する転動のためのキャスタ等の機構を設けない場合に天板を収納体に対して回動移動させるには、天板の脚体側の側端部２２を持ち上げて所望の角度分だけ天板を回動させればよい。また、回動規制部を設けずに、天板と収納体とを相互に制限なく回転させるようにすることもできる。また、天板の形状を矩形状その他の形状とすることもでき、特に正方形状や正円形状とすることも可能であり、特にその場合は脚構造体として収納体及び脚体が配置される側の端部を側端部と把握すれば足りる。その他、収納体及び脚体、下部回動機構や上部回動機構の具体的形状や構成も上述の実施形態に限定されるものではなく、本発明の趣旨を逸脱しない範囲で種々変形が可能である。
【図面の簡単な説明】
【００２７】
【図１】本発明の一実施形態に係るテーブルを示す斜視図。
【図２】同正面図。
【図３】同実施形態における上部回動機構を示す分解斜視図。
【図４】同上部回動機構を中央部で破断して示す縦断面図。
【図５】同実施形態の作用説明図。
【図６】同実施形態の作用説明図。
【符号の説明】
【００２８】
１…テーブル
２…天板
３…支持構造体
４…収納体
５…脚体
６…下部回動機構
７…上部回動機構
８…回動規制部
４７…キャスタ
５１…脚柱
５４…キャスタ
７１…天板受け部
７２…台座部
７２３…ピン
７５２…ガイド溝
【図１】
2005143763.tif 000003
【図２】
2005143763.tif 000004
【図３】
2005143763.tif 000005
【図４】
2005143763.tif 000006
【図５】
2005143763.tif 000007
【図６】
2005143763.tif 000008